【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
ガスケット厚さと、ガスケット内径と、ガスケット外径とを有するガスケットの製造方法であって、
前記ガスケット外径に一致する外径を有するＰＴＦＥシリンダを作製するために前記ガスケット内径に一致する外径を有する軸の周りにＰＴＦＥ積層テープを巻き付ける工程であって、前記ＰＴＦＥ積層テープは充填材を含むものである、前記ＰＴＦＥ積層テープを巻き付ける工程と、
ポリマーテープを前記軸の周りに巻き付ける工程であって、前記ポリマーテープは前記ＰＴＦＥ積層テープよりも多孔性が低いものである、前記ポリマーテープを巻き付ける工程と、
前記ＰＴＦＥシリンダを焼結する工程と、
前記ＰＴＦＥシリンダの半径方向の部分を取り外して前記ガスケットを形成する工程であって、前記半径方向の部分は前記ガスケットの厚さに一致する厚さを有する工程とを有するものである
方法。
【請求項２】
請求項１記載の方法において、前記ＰＴＦＥシリンダを乾燥させる工程を更に有するものである方法。
【請求項３】
請求項１記載の方法において、前記ＰＴＦＥ積層テープを乾燥させる工程を更に有するものである方法。
【請求項４】
請求項１記載の方法において、前記ＰＴＦＥシリンダを鋳型内で圧縮する工程を更に有するものである方法。
【請求項５】
請求項１記載の方法において、前記ＰＴＦＥ積層テープを延伸させる工程を更に有するものである方法。
【請求項６】
請求項１記載の方法において、ＰＴＦＥビレットを押し出して前記ＰＴＦＥ積層テープを形成する工程を更に有するものである方法。
【請求項７】
請求項１記載の方法において、前記ＰＴＦＥ積層テープは、一軸拡張させたＰＴＦＥ積層テープ、二軸拡張させたＰＴＦＥ積層テープ、または多軸拡張させたＰＴＦＥ積層テープである方法。
【請求項８】
請求項１記載の方法において、前記充填材は無機充填材である方法。
【請求項９】
請求項１記載の方法において、前記ポリマーテープは不透水性ポリマーテープである方法。
【請求項１０】
請求項１記載の方法において、前記ポリマーテープは、低多孔性のポリテトラフルオロエチレン、エチレンテトラフルオロエチレン、パーフルオロアルコキシ、テトラフルオロエチレン・パーフルオロ共重合体、およびフルオロエチレンプロピレンのうち少なくとも１つを有するものである方法。 
【請求項１１】
請求項１記載の方法によって製造されるガスケット。
【請求項１２】
ガスケット厚さと、ガスケット内径と、ガスケット外径とを有するガスケットの製造方法であって、
前記ガスケット外径に一致する外径を有するＰＴＦＥシリンダを作製するために前記ガスケット内径に一致する外径を有する軸の周りにＰＴＦＥ積層ストリップを巻き付ける工程であって、前記ＰＴＦＥ積層ストリップは充填材を含むものである、前記ＰＴＦＥ積層ストリップを巻き付ける工程と、
ポリマーストリップを前記軸の周りに巻き付ける工程であって、前記ポリマーストリップは前記ＰＴＦＥ積層ストリップよりも多孔性が低いものである、前記ポリマーストリップを巻き付ける工程と、
金属製ストリップを前記軸の周りに巻き付ける工程であって、前記金属製ストリップは前記ＰＴＦＥ積層ストリップの幅よりも狭い幅を有するものである、前記金属製ストリップを巻き付ける工程と、
前記ＰＴＦＥディスクを焼結する工程とを有するものである
方法。
【請求項１３】
請求項１２記載の方法において、前記ＰＴＦＥディスクを圧縮する工程を更に有するものである方法。
【請求項１４】
請求項１２記載の方法において、ＰＴＦＥビレットを押し出してＰＴＦＥ積層テープを形成する工程を更に有するものである方法。
【請求項１５】
請求項１４記載の方法において、前記ＰＴＦＥ積層テープを乾燥させる工程を更に有するものである方法。
【請求項１６】
請求項１４記載の方法において、前記ＰＴＦＥ積層テープを切断して前記ＰＴＦＥ積層ストリップを形成する工程を更に有するものである方法。
【請求項１７】
請求項１５記載の方法において、前記ＰＴＦＥ積層テープを焼結する工程を更に有するものである方法。
【請求項１８】
請求項１５記載の方法において、前記ＰＴＦＥ積層テープを延伸させる工程を更に有するものである方法。
【請求項１９】
請求項１２記載の方法において、前記ＰＴＦＥ積層ストリップは前記ガスケット厚さに一致する幅を有するものである方法。
【請求項２０】
請求項１２記載の方法において、前記ポリマーストリップは前記ガスケット厚さに一致する幅を有するものである方法。
【請求項２１】
請求項１２記載の方法によって製造されるガスケット。
【請求項２２】
請求項１２記載の方法において、前記ＰＴＦＥ積層ストリップは、一軸拡張させたＰＴＦＥ積層ストリップ、二軸拡張させたＰＴＦＥ積層ストリップ、または多軸拡張させたＰＴＦＥ積層ストリップである方法。
【請求項２３】
請求項１２記載の方法において、前記充填材は無機充填材である方法。
【請求項２４】
請求項１２記載の方法において、前記ポリマーストリップは不透水性ポリマーストリップである方法。
【手続補正２】
【補正対象書類名】明細書
【補正対象項目名】０００３
【補正方法】変更
【補正の内容】
【０００３】
ポリテトラフルオロエチレン（ＰＴＦＥ）ガスケットは、多くの媒体製品における耐薬品性、並びに電気絶縁性、非付着性、耐衝撃性、低摩擦係数などの機械特性の故に、産業用途におけるフランジ継手の密閉に一般的に使用される。ＰＴＦＥガスケットの製造方法は、一般的に、ＰＴＦＥシートから目的サイズの円形ガスケットを打ち抜く工程を含んでいる。該ＰＴＦＥシートから円形ガスケットを取り外したのち、該ＰＴＦＥシートの残りは廃棄物となり、該廃棄物は、該ＰＴＦＥシートの約４０〜６０％に至る場合がある。斯かる製造方法によって製造されるガスケットは、使用される機械によってサイズが制限されており、大きいガスケット内に形成される継ぎ合わせのために脆弱であり得る。更に、斯かる製造方法は大量のＰＴＦＥシート廃棄物を生み出し、その結果、製造原価が増大する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００３／０００３２９０号明細書
（特許文献２）  米国特許第３，６９７，３４８号明細書
（特許文献３）  米国特許第５，１１０，５２６号明細書
（特許文献４）  米国特許出願公開第２００５／Ｏ２２５０３７号明細書
（特許文献５）  米国特許出願公開第２００４／０２３２６２４号明細書
（特許文献６）  米国特許第４，９１３，９５１号明細書
（特許文献７）  カナダ国特許出願公開第２１９８８８４号明細書
（特許文献８）  米国特許出願公開第２００３／０１３２５７９号明細書
（特許文献９）  米国特許第５，３８２，３９９号明細書
（特許文献１０）  特開平１１―０５１１９２号公報
（特許文献１１）  英国特許出願公告第１４６６１８３号明細書
（特許文献１２）  米国特許第３，９５３，５６６号明細書
（特許文献１３）  欧州特許第１８０００２９号明細書
（非特許文献）
（非特許文献１）  Ｍａｃｈｉｎｅ  Ｔｒａｎｓｌａｔｉｏｎ  ｏｆ  ＪＰ  １１−５１１９２，ｄａｔｅ  ｕｎｋｎｏｗｎ．